(57)【特許請求の範囲】
【請求項１】
両面原稿の画像を受信する両面伝送モードを有するファクシミリ装置において、
表裏各面の画像情報とともにポストメッセージ信号により１ページごとに受信した、本来画像情報の表裏１面ごとに歩進し、１から２ｎ（ｎは正の整数）までカウントアップされるべきページ番号情報が不連続でありかつ欠落があり、両面画像情報の内、途中のページ情報の受信が出来ていない場合でも伝送処理を停止せず、表裏各面の画像情報とともに受信した前記ページ番号情報に基づき該ページ番号情報の値が示す順序で受信した表裏各面の画像情報を記録出力し、その場合、前記欠落したページ番号情報に対応し受信が出来ていない途中のページ情報については空白を記録出力する制御手段を有することを特徴とするファクシミリ装置。
【請求項２】
表裏各面の画像情報とともに受信した前記ページ番号情報が不連続で、かつ欠落があるが伝送処理を停止せず表裏各面の画像情報とともに受信した前記ページ番号情報に基づき該ページ番号情報の値が示す順序で受信した表裏各面の画像情報を記録出力する場合、全てのページ情報を受信出来ていない可能性がある旨をユーザに報知することを特徴とする請求項１に記載のファクシミリ装置。
【請求項３】
表裏各面の画像情報とともに受信した前記ページ番号情報が不連続でありかつ欠落がある場合であっても表裏各面の画像情報とともに受信した前記ページ番号情報に基づき該ページ番号情報の値が示す順序で受信した表裏各面の画像情報を記録する記録出力処理を行なう場合、当該記録出力処理を行なうに先立って、ユーザの指示入力を受け付け、肯定応答を得た場合のみ当該記録出力処理を行なうことを特徴とする請求項１に記載のファクシミリ装置。
【請求項４】
表裏各面の画像情報とともに受信した前記ページ番号情報が不連続でありかつ欠落がある場合の記録出力処理の態様を制御する通信制御情報を登録する登録手段を有することを特徴とする請求項１に記載のファクシミリ装置。
【請求項５】
両面原稿の画像を受信する両面伝送モードを有するファクシミリ装置の制御方法において、
表裏各面の画像情報とともにポストメッセージ信号により１ページごとに受信した、本来画像情報の表裏１面ごとに歩進し、１から２ｎ（ｎは正の整数）までカウントアップされるべきページ番号情報が不連続でありかつ欠落があり、両面画像情報の内、途中のページ情報の受信が出来ていない場合でも伝送処理を停止せず、表裏各面の画像情報とともに受信した前記ページ番号情報に基づき該ページ番号情報の値が示す順序で受信した表裏各面の画像情報を記録出力し、その場合、前記欠落したページ番号情報に対応し受信が出来ていない途中のページ情報については空白を記録出力する制御工程を有することを特徴とするファクシミリ装置の制御方法。
【請求項６】
表裏各面の画像情報とともに受信した前記ページ番号情報が不連続で、かつ欠落があるが伝送処理を停止せず表裏各面の画像情報とともに受信した前記ページ番号情報に基づき該ページ番号情報の値が示す順序で受信した表裏各面の画像情報を記録出力する場合、全てのページ情報を受信出来ていない可能性がある旨をユーザに報知することを特徴とする請求項５に記載のファクシミリ装置の制御方法。
【請求項７】
表裏各面の画像情報とともに受信した前記ページ番号情報が不連続でありかつ欠落がある場合であっても表裏各面の画像情報とともに受信した前記ページ番号情報に基づき該ページ番号情報の値が示す順序で受信した表裏各面の画像情報を記録する記録出力処理を行なう場合、当該記録出力処理を行なうに先立って、ユーザの指示入力を受け付け、肯定応答を得た場合のみ当該記録出力処理を行なうことを特徴とする請求項５に記載のファクシミリ装置の制御方法。
【請求項８】
表裏各面の画像情報とともに受信した前記ページ番号情報が不連続でありかつ欠落がある場合の記録出力処理の態様を制御する通信制御情報を登録する登録工程を有することを特徴とする請求項５に記載のファクシミリ装置の制御方法。
【請求項９】
両面原稿の画像を受信する両面伝送モードを有するファクシミリ装置の制御プログラムを格納したコンピュータ読取可能な記録媒体において、
表裏各面の画像情報とともにポストメッセージ信号により１ページごとに受信した、本来画像情報の表裏１面ごとに歩進し、１から２ｎ（ｎは正の整数）までカウントアップされるべきページ番号情報が不連続でありかつ欠落があり、両面画像情報の内、途中のページ情報の受信が出来ていない場合でも伝送処理を停止せず、表裏各面の画像情報とともに受信した前記ページ番号情報に基づき該ページ番号情報の値が示す順序で受信した表裏各面の画像情報を記録出力し、その場合、前記欠落したページ番号情報に対応し受信が出来ていない途中のページ情報については空白を記録出力する制御工程を格納したことを特徴とするファクシミリ装置の制御プログラムを格納したコンピュータ読取可能な記録媒体。
【請求項１０】
表裏各面の画像情報とともに受信した前記ページ番号情報が不連続で、かつ欠落があるが伝送処理を停止せず表裏各面の画像情報とともに受信した前記ページ番号情報に基づき該ページ番号情報の値が示す順序で受信した表裏各面の画像情報を記録出力する場合、全てのページ情報を受信出来ていない可能性がある旨をユーザに報知するための制御手順を格納したことを特徴とする請求項９に記載のファクシミリ装置の制御プログラムを格納したコンピュータ読取可能な記録媒体。
【請求項１１】
表裏各面の画像情報とともに受信した前記ページ番号情報が不連続でありかつ欠落がある場合であっても表裏各面の画像情報とともに受信した前記ページ番号情報に基づき該ページ番号情報の値が示す順序で受信した表裏各面の画像情報を記録する記録出力処理を行なう場合、当該記録出力処理を行なうに先立って、ユーザの指示入力を受け付け、肯定応答を得た場合のみ当該記録出力処理を行なうための制御手順を格納したことを特徴とする請求項９に記載のファクシミリ装置の制御プログラムを格納したコンピュータ読取可能な記録媒体。
【請求項１２】
表裏各面の画像情報とともに受信した前記ページ番号情報が不連続でありかつ欠落がある場合の記録出力処理の態様を制御する通信制御情報を登録する登録工程を格納したことを特徴とする請求項９に記載のファクシミリ装置の制御プログラムを格納したコンピュータ読取可能な記録媒体。
【発明の詳細な説明】
【０００１】
【発明の属する技術分野】
本発明は、ファクシミリ装置、特に両面情報を受信し記録可能なファクシミリ装置、その制御方法、及びその制御プログラムを格納したコンピュータ読取可能な記録媒体に関するものである。
【０００２】
【従来の技術】
ＩＴＵ−Ｔ勧告Ｔ４、Ｔ３０などに規定されたファクシミリ装置は、片面原稿を送信する構成が基本となっている。すなわち、送信機側の原稿も片面情報であり、受信機側においても受信した画情報は記録紙の片面に記録していた。
【０００３】
一方で、最近は省資源化に関する意識が高まっており、プリンタや複写機などにおいては、１枚の紙の表面と裏面に記録を行なういわゆる両面記録方式を有するものが増えつつある。これに伴ない、近年ではファクシミリ装置においても、両面原稿を読取り、送信するハードウェア構成および通信手順が提案されている。
【０００４】
たとえば、ＩＴＵ−Ｔ勧告Ｔ３０、あるいはその試案においては、両面伝送に関する通信手順が提案されており、この勧告に提案されている方式では、原稿表面あるいは裏面の１面の画情報それ自体は旧来の片面伝送の場合の１ページの画像とほぼ同様のファクシミリメッセージとして送信し、ポストメッセージ信号（ＥＯＭなどのＱ信号、あるいはＰＰＳ−ＭＰＳなどのＰＰＳ−Ｑ信号）にページ番号や面（サイド）の情報を付加して送信する。
【０００５】
また両面画情報の伝送方式としては、原稿表面の画像、裏面の画像を各ページについて交互に送信する両面交互伝送、あるいは原稿表面の画像全部を送信し、続いて裏面の画像全部を送信する両面連続伝送などが提案されている。
【０００６】
【発明が解決しようとする課題】
上記の両面交互伝送、両面連続伝送のいずれにおいても、基本的には全ての原稿の表裏に画像が含まれている（全白ではない）ことが前提とされており、勧告Ｔ３０あるいはその試案においてはポストメッセージ信号のページ番号（ＰＮ）や表裏（Ｓｉｄｅ）の情報は連続的に歩進させる場合しか定義されていない。
【０００７】
したがって、同勧告に準拠する場合は、たとえ片面が全白であっても何がしかのファクシミリメッセージとポストメッセージを送信するのがスタンダードな処理となるが、製品の仕様でたとえば、通信時間の短縮を第一義とするような場合には、空白のページについてはファクシミリメッセージとポストメッセージを省略してしまい、ポストメッセージ信号のページ番号（ＰＮ）を不連続としたいケースも考えられる。あるいは送信側の装置のプログラムのバグによりそのような不連続のページ番号を持つ画像情報が送られる可能性もある。
【０００８】
勧告Ｔ３０では、上記のように送信機側のファクシミリ装置がイレギュラーな方法で両面情報を送信してきた場合の受信制御は未定義であるから、不連続のページ番号を持つ画像信号が送信された場合はエラー終了するような構成にしておくことも考えられるが、課金を発生させた上、途中まで進行した通信を中止するのは不経済でもある。
【０００９】
本発明の課題は上記の問題に鑑み、送信側がＩＴＵ−Ｔの勧告を一部変更して不連続なページ番号（ＰＮ）を有する画像情報を送信し、これにより論理的には全てのページ情報が揃っていないような画像情報を受信した場合でも、課金を無駄にすることなく妥当な受信処理を行なえるようにすることにある。
【００１０】
【課題を解決するための手段】
以上の課題を解決するために、本発明においては、両面原稿の画像を受信する両面伝送モードを有するファクシミリ装置、その制御方法、その制御プログラムを格納したコンピュータ読取可能な記録媒体において、表裏各面の画像情報とともにポストメッセージ信号により１ページごとに受信した、本来画像情報の表裏１面ごとに歩進し、１から２ｎ（ｎは正の整数）までカウントアップされるべきページ番号情報が不連続でありかつ欠落があり、両面画像情報の内、途中のページ情報の受信が出来ていない場合でも伝送処理を停止せず、表裏各面の画像情報とともに受信した前記ページ番号情報に基づき該ページ番号情報の値が示す順序で受信した表裏各面の画像情報を記録出力し、その場合、前記欠落したページ番号情報に対応し受信が出来ていない途中のページ情報については空白を記録出力する構成を採用した。
【００１１】
あるいはさらに表裏各面の画像情報とともに受信したページ番号情報が不連続であり、両面画像情報の内、途中のページ情報の受信が出来ていなくても伝送処理を停止せず、表裏各面の画像情報とともに受信したページ番号情報に基づき受信した表裏各面の画像情報を記録出力する構成を採用した。
【００１２】
あるいはさらに表裏各面の画像情報とともに受信したページ番号情報が不連続であるが伝送処理を停止せず表裏各面の画像情報とともに受信したページ番号情報に基づき受信した表裏各面の画像情報を記録出力する場合、全てのページ情報を受信出来ていない可能性がある旨をユーザに報知する構成を採用した。
【００１３】
あるいはさらに表裏各面の画像情報とともに受信したページ番号情報が不連続な場合であっても表裏各面の画像情報とともに受信したページ番号情報に基づき受信した表裏各面の画像情報を記録する記録出力処理を行なう場合、当該記録出力処理を行なうに先立って、ユーザの指示入力を受け付け、肯定応答を得た場合のみ当該記録出力処理を行なう構成を採用した。
【００１４】
あるいはさらに表裏各面の画像情報とともに受信したページ番号情報が不連続な場合の記録出力処理の態様を制御する通信制御情報を登録する登録工程を有する構成を採用した。
【００１５】
【発明の実施の形態】
以下、図面に示す実施形態に基づいて本発明を詳細に説明する。
【００１６】
［第１の実施形態］
図１は、本発明を採用したファクシミリ装置のハードウェア構成を示している。図示のように、本装置はＣＰＵ２２のバス２６に各構成部を接続した構成となっている。
【００１７】
図１において符号２はＮＣＵ（網制御装置）で、電話網をデータ通信等に使用するためにその回線の端末に接続し、電話交換網の接続制御を行なったり、データ通信路への切り替えを行なったり、ループの保持を行なったりするものである。ＮＣＵ２は、バス２６からの制御により、電話回線２ａを電話機４側に接続（ＣＭＬオフ）、あるいは電話回線２ａをファクシミリ装置側に接続（ＣＭＬオン）する。なお、通常状態では、電話回線２ａは電話機４側に接続されている。
【００１８】
符号６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送る。
【００１９】
符号８は、変復調器であり、ＩＴＵ−Ｔ勧告Ｖ．８，Ｖ．２１，Ｖ．２７ｔｅｒ，Ｖ．２９，Ｖ．１７，Ｖ．３４に基づいた変調及び復調を行なう変復調器であり、バス２６の制御により、これら各伝送モードが指定される。変復調器８はバス２６からの送信信号を入力し、変調データを信号線８ａに出力し、信号線６ａに出力されている受信信号を入力し、復調データをバス２６に出力する。
【００２０】
符号１０は、発呼回路であり、バス２６からの制御に基づき、入力された電話番号情報を信号線１０ａにＤＴＭＦの選択信号として出力する。
【００２１】
符号１２は、送信信号を加算する加算回路であり、信号線８ａの情報と信号線１０ａの情報を入力し、加算した結果を信号線１２ａに出力する。
【００２２】
符号１４は原稿画像を読み取る読取回路、１６は画像記録を行なう記録回路であるが、好ましくは双方ともなんらかの方法で両面画像読取あるいは両面画像記録を行なえるものとする。
【００２３】
すなわち、読取回路１４は、原稿搬送系、光学読み取り素子などから成る公知の構成を有する読取機構であり、原稿から読み取った画像データをバス２６に出力するよう構成される。なお、読取回路１４は必ずしも両面同時読取を行なうものでなくても構わず、自動処理あるいは手動操作による原稿再搬送により表面を読み取ってから裏面を読み取るようなものであってもよい。
【００２４】
また、記録回路１６は電子写真方式、インクジェット方式などの各種の記録方式により構成された記録機構であり、バス２６に出力されている画像情報を順次１ライン毎に記録紙の表面、あるいは裏面に記録する。なお、記録回路１６は本実施形態では便宜上表裏両面に記録を行なえる機構であるものとするが、これも本発明の本質からすれば必須ではなく、両面プロトコルにより受信した画像を原稿の片面に順次記録するようなものであってもかまわない。
【００２５】
符号１８はメモリ回路で、主としてワーク用のメモリとして用いられる。ここではメモリ１８はＲＡＭ（あるいはハードディスクなどの任意の記憶装置）から構成されるものとし、読取りデータの生情報あるいは符号化した情報を格納したり、また受信情報あるいは復号化した情報等を格納するために用いられる。
【００２６】
また、メモリ１８には両面受信が選択時の通信制御登録メモリ１８ａが設けられる。通信制御登録メモリ１８ａには、両面受信時の受信態様を登録できるものとし、本実施形態では、通信制御登録メモリ１８ａは、両面受信実行時に全てのページ情報の受信が完成した場合のみ記録回路１６によるプリントアウトを行なうか否かをバス２６を介して登録できるものとする。
【００２７】
つまり、通信制御登録メモリ１８ａは不連続なページ番号（ＰＮ）を有する画像情報を受信した場合、つまり論理的には全てのページ情報が揃っていないような画像情報を受信した場合でもプリントアウトを行なうかどうかを登録し、この登録情報に応じて受信後のプリントアウトを制御するためのものである。
【００２８】
本実施形態では、説明を簡単にするために、通信制御登録メモリ１８ａには、両面受信において、不連続なページ番号（ＰＮ）を有し、論理的には全てのページ情報が揃っていないような画像情報を受信した場合でも、（エラー終了などとせず）プリントアウトを実行するよう登録が行なわれるものとする。
【００２９】
符号２０は、操作部であり、そのキーボードにはワンタッチダイヤル、短縮ダイヤル、テンキー、＊・♯キー、スタートキー、ストップキー、セットキー、その他のファンクションキーが設けられており、キーボードで押下されたキー情報は、バス２６に出力される。また、操作部２０には、上記のメモリ１８（通信制御登録メモリ１８ａを含む）への各種の登録操作を行なうためのユーザインターフェースを実現するためのキーが設けられているものとする。
【００３０】
さらに、操作部２０には、公知の各種のユーザインターフェースを実行するためのＬＣＤパネルなどからなる表示部が設けられており、バス２６に出力されている情報を入力し、表示できるものとする。
【００３１】
この他に、本実施形態では、操作部２０には両面伝送表示部２０ａ、および両面伝送選択ボタン２０ｂが設けられている。両面伝送選択ボタン２０ｂは両面伝送モード、または非両面伝送つまり通常の片面伝送モードのいずれかをトグル切り換えするためのもので、押下ごとに「両面伝送モード」→「片面伝送モード」→「両面伝送モード」に動作モードを切り換える。両面伝送表示部２０ａは、バス２６を介して表示をクリアすることができ、これ以後、両面伝送選択ボタン２０ｂが押下される毎に、同ボタンにより設定されているモードを表示する。いずれの伝送モードを表示しているか否かの情報はバス２６に出力され、後述のＣＰＵ２２により利用できるものとする。
【００３２】
符号２２は、マイクロプロセッサなどから構成されたＣＰＵ（中央処理装置）であり、ファクシミリ装置全体の制御、及び後述のファクシミリ伝送制御手順を実行する。ＣＰＵ２２の後述の制御プログラムはＲＯＭ２４に格納される。
【００３３】
ここで、図２〜図５を参照して両面原稿を両面伝送するための通信手順の概略につき説明する。ここでは、現在提案されているＩＴＵ−Ｔ勧告Ｔ３０（ないしその試案）に記載されている一般的な両面伝送を示す。
【００３４】
ＩＴＵ−Ｔ勧告における両面伝送の通信モードとしては、両面交互伝送（オルタネート）モードと両面連続（コンティニュアス）伝送モードの２つが存在する。これらの各モードにおける信号シーケンスを図２および図３にそれぞれ示す。
【００３５】
図２に示すように、両面交互伝送（オルタネート）モードは、表面と裏面を交互に送信するモードである。図示のように、プロトコル上では、ポストメッセージ信号（ここではＰＰＳ−ＭＰＳ）により、１ページ目の情報（１ページ目の原稿の表面の情報）は、ページナンバー１、表面（図中のＰＮ１と０。以下同様）の送信と指定し、２ページ目の情報（１ページ目の原稿の裏面の情報）は、ページナンバー２、裏面の送信と指定し、３ページ目の情報（２ページ目の原稿の表面の情報）は、ページナンバー３、表面の送信と指定し、４ページ目の情報（２ページ目の原稿の裏面の情報）は、ページナンバー４、裏面の送信と指定する。
【００３６】
また、図３に示すように、両面連続（コンティニュアス）伝送モードは、全ページの表面の情報を送信し、続いて全ページの裏面の情報を送信するモードである。図示のように、プロトコル上では、ポストメッセージ信号（ここではＰＰＳ−ＭＰＳ）により、１ページ目の情報（１ページ目の原稿の表面の情報）は、ページナンバー１、表面（図中のＰＮ１と０。以下同様）の送信と指定し、２ページ目の情報（２ページ目の原稿の表面の情報）は、ページナンバー３、表面の送信と指定し、３ページ目の情報（１ページ目の原稿の裏面の情報）は、ページナンバー２、裏面の送信と指定し、４ページ目の情報（２ページ目の原稿の裏面の情報）は、ページナンバー４、裏面の送信と指定する。
【００３７】
通常は、これらのページナンバー（ＰＮ）および表裏の情報は、図示のように連続したものとなるが、前述のように送信機がイレギュラーな仕様を採用していたり、あるいはプログラムバグなどによって、不連続なページナンバーや表裏情報が送信される可能性も考えられる。
【００３８】
なお、図２、図３は、ＥＣＭモードにおける通信の様子を示しているが、勧告上はＥＣＭモードを用いないプロトコルも定義されている。説明の簡略化のため、以下ではＥＣＭモードにおける処理のみを説明するが、ＥＣＭモード自体は本発明に必須のものではなく、本発明は非ＥＣＭモードにおいても同様に実施することができるのはいうまでもない。
【００３９】
図４に、ＤＩＳ／ＤＴＣ、およびＤＣＳ信号における両面伝送の定義を示す。図４に示すように、ＤＩＳ／ＤＴＣ信号では、ＦＩＦのｘビット目（このビット数は正式に決定されておらず便宜上「ｘ」により示す）により、交互モードでの両面記録機能の有無を表し、ＦＩＦのｘ＋１ビット目により、連続モードでの両面記録機能の有無を表す。また、ＤＣＳ信号においては、ＦＩＦのｘビット目により、交互モードでの両面送信を指定し、ＦＩＦのｘ＋１ビット目により、連続モードでの両面送信を指定する。
【００４０】
送受信機は、ＤＣＳおよびＤＩＳ／ＤＴＣ信号によりファクシミリ前手順において自機の機能を通知しあう。なお、ＤＩＳ／ＤＴＣ信号において、連続モードのためにｘ＋１ビットをオンにする時には、交互モードのｘビットをオンにしなければならない。
【００４１】
図５に、ポストメッセージ信号（図２、図３に示したＰＰＳ−Ｑ信号）により送信されるＦＩＦ（ファクシミリ情報フィールド）の構成を示す。このＦＩＦは通常のＦＩＦ同様Ｆｌａｇ（フラグ）、Ａｄｄｒｅｓｓ（アドレス）、Ｃｏｎｔｒｏｌ（制御データ）、ＦＣＦ（ファクシミリ制御フィールド）で開始され、これに続き、ＥＣＭの場合はＰＣはページカウンタ、ＢＣはブロックカウンタ、ＦＣはフレームカウンタが送信される。これらの３つのカウンタはＥＣＭモードのみにおいて用いられる。その後に両面伝送関係のファクシミリ情報が続く。
【００４２】
両面伝送関係のファクシミリ情報はＬｅｎｇｔｈ（フィールド幅は１オクテット）、Ｐａｇｅ  ｎｕｍｂｅｒ（ページナンバー：２オクテット）、Ｐａｇｅ  ｉｎｆｏｒｍａｔｉｏｎ（ページ情報）から成り、その後にＦＣＳ（フレームチェックシーケンス）、Ｆｌａｇ（フラグ）が続く。
【００４３】
上記ファクシミリ情報のフィールド中、Ｌｅｎｇｔｈの部分は、Ｐａｇｅ  ｎｕｍｂｅｒとＰａｇｅ  Ｉｎｆｏｒｍａｔｉｏｎの合計オクテット数を表しており、また、Ｐａｇｅ  Ｎｕｍｂｅｒはページ番号を、Ｐａｇｅ  Ｉｎｆｏｒｍａｔｉｏｎ  の部分は、ｂｉｔと０を使用して、表面（０）、あるいは裏面（１）を指定する。
【００４４】
以上のようなシーケンスおよび信号構成により一般的な両面伝送手順が実行される。
【００４５】
次に上記構成における通信制御につき説明する。装置のファクシミリ通信はＣＰＵ２２により制御されるが、ＲＯＭ２４に格納されたＣＰＵ２２の通信制御プログラムは次のようなものである。すなわち、本実施形態においては、受信した両面情報が全て揃っていなくても、つまり、不連続なページ番号（ＰＮ）を有する画像情報を受信した場合でも、通信をエラー終了することなく、プリントアウトする機能を実現する。特に、プリントアウトにおいては、両面情報の途中のページ情報の受信が出来ていなくても、受信したページ情報は全てプリントアウトする。また、受信した両面情報が全て揃っていない受信画像情報をプリントアウトした場合は、その旨を操作部２０の表示部で表示し、あるいはその旨を記録回路１６により記録出力してユーザに報知する。
【００４６】
図６〜９に上記の通信制御の流れをフローチャート図として示す。図８〜１２の同一番号の個所はそれぞれの位置で連続しているものとする。
【００４７】
図６において、ステップＳ０は所定のリセット操作などにより開始される処理の始めを示している。
【００４８】
ステップＳ２およびＳ４では初期化処理を行なう。ステップＳ２では、バス２６を介して操作部の表示部の表示を初期化する。
【００４９】
ステップＳ４は、バス２６を介して操作部２０の両面伝送表示部２０ａの両面伝送表示を停止させるよう制御する。すなわち、モードを片面伝送モードにリセットする。
【００５０】
ステップＳ６では、操作部２０の操作に応じて通信制御登録メモリ１８ａへの登録処理を行なう。すなわち、操作部２０の操作に応じてバス２６を介して、通信制御登録メモリ１８ａへの登録処理を行なうが、ここでは便宜上、ユーザが両面受信において全てのページ情報の受信が完成していなくてもプリントアウトを完遂する旨の登録を行なったものとする。なお、説明を簡単にするためにステップＳ６はステップＳ８から始まるイベントループの外側に置いているが、イベントループ中の適当な他の位置、たとえば後述のステップＳ１２などにおいて実行するようにしてもよい。
【００５１】
ステップＳ８では、バス２６を介して、ＮＣＵ２のＣＭＬをオフとし、回線２ａを電話機４側に接続する。
【００５２】
ステップＳ１０では、ファクシミリ受信が選択されたか否かを判断する。ファクシミリ受信処理は、回線２ａからの呼出信号の検出、あるいは操作部２０による所定の手動受信操作の検出などにより選択される。ファクシミリ受信が選択されるとステップＳ１４に進み、選択されていなければステップＳ１２に進み、その他の処理（原稿のコピー処理、あるいは前述の通信制御登録メモリ１８ａへの登録処理など）を実行する。
【００５３】
ステップＳ１４では、バス２６を介してＮＣＵ２のＣＭＬをオンとし回線２ａをファクシミリ装置（ハイブリッド回路６）側に接続する。
【００５４】
ステップＳ１６では、ファクシミリ前手順を実行する。ここでは、ＤＩＳ信号のＦＩＦのＸビット、Ｘ＋１ビットをともに１として相手局（画像送信側）に送信し、両面伝送モードとしては交互モードおよび連続モードの両方の機能を有することを通知する。
【００５５】
なお、本実施形態では、便宜上、ＥＣＭ通信を行なうものとするが、非ＥＣＭの場合でもほぼ同様の制御を行なうことができるのはもちろんである。
【００５６】
図７のステップＳ１８、およびステップＳ２０では、相手局（画像送信側）から受信したＤＣＳ信号のＦＩＦのＸ、およびＸ＋１ビットの状態が判定され、Ｘビットが１（かつＸ＋１ビットは０）であれば（両面交互モードの宣言）ステップＳ２２に進み、Ｘ＋１ビットが１（勧告通りであればＸビットは１）であれば（両面連続モードの宣言）、ステップＳ３４に進む。また、ステップＳ１８およびステップＳ２０においてＸビット、Ｘ＋１ビットがともに０であれば、片面モードの宣言と判定し、図８のステップＳ４４に進む。
【００５７】
ステップＳ２２では、交互モードでの両面情報のメモリ受信を、また、ステップＳ３４では連続モードでの両面情報のメモリ受信を実行する。図８のステップＳ４４では、片面モードの受信、すなわち、片面づつの画信号の受信および記録回路１６による表面のみの記録を行ない、ステップＳ４６でファクシミリ手順を実行した後、図６のステップＳ８に復帰する。
【００５８】
交互モードにおいて、ステップＳ２４では、ページ間の中間手順を行ない、ステップＳ２６では、ＥＣＭにおける通信エラーがあったかどうか判定し、ＥＣＭにおける通信エラーがあれば、ステップＳ２２に戻って公知のＥＣＭ手順により再送などの処理を行ない、ＥＣＭにおける通信エラーがなければ、ステップＳ２８に進む。ステップＳ２８では、中間手順の結果に基づき、続いて受信すべき次ページ（あるいはＥＣＭにおけるパーシャル）があるか否かを判断し、ステップＳ２８が肯定された場合にはステップＳ２２に戻って受信を続行し否定された場合にはステップＳ３０に進む。
【００５９】
ステップＳ３０ではファクシミリ後手順を実行し、ステップＳ３２では、バス２６を介してＮＣＵ２のＣＭＬをオフとし、回線２ａを電話機４側に接続した後、図６のステップＳ８に復帰する。
【００６０】
一方、連続モードにおいても上記同様の受信処理を行なう。すなわち、ステップＳ３６ではファクシミリ中間手順を実行し、ステップＳ３８では、ＥＣＭにおける通信エラーがあったかどうか判定し、ＥＣＭ通信にてエラーがあれば、ステップＳ３４に戻って公知のＥＣＭ手順により再送などの処理を行ない、ＥＣＭにおける通信エラーがなければステップＳ４０に進む。ステップＳ４０では、次ページ（あるいはＥＣＭにおけるパーシャル）があるか否かを判断し、ステップＳ４０が肯定された場合にはステップＳ３４に戻って受信を続行し、否定された場合にはステップＳ４２に進む。
【００６１】
ステップＳ４２ではファクシミリ後手順を実行し、続いて上記のステップＳ３２経由で図６のステップＳ８に復帰する。
【００６２】
上記のようにして複数ページを両面モードで受信するが、その際、基本的には図２〜図５に示した勧告に準拠した手順が用いられるものとする。すなわち、相手局からポストメッセージ（ＰＰＳ−Ｑ信号など）により送信されるページナンバー（図２、図３のＰＮ）は表裏１面ごとに歩進し、１から２ｎ（ｎは正の整数）までカウントアップされていくものとする。ただし、従来例として記述したように、相手局はこのような勧告通りのプロトコルを実行するとは限らず、空白ページの送信省略などのために不連続なページ番号（ＰＮ）を付して画像を送信することも考えられる。
【００６３】
したがって、上記のようにして複数ページを両面モードで受信した後、図８のステップＳ４８に進み、メモリ受信した両面情報の内容をチェックする。ここでは、ページナンバーとして１から２ｎ（ｎは正の整数）をポストメッセージに有するページをすべて受信したか否かを判断する。
【００６４】
ステップＳ４８の判定が肯定される、すなわち、ステップＳ５０に進み、各ページとともにポストメッセージ（ＰＰＳ−Ｑ信号など）により送信されたページナンバー（ＰＮ）順で、またファクシミリ情報に示される表裏の情報（ＳＩＤＥ）に基づき記録回路１６を用いて記録紙の表面および裏面の対応面に記録し、図６のステップＳ８に復帰する。一方、ステップＳ４８の判定が否定された場合にはステップＳ５２に進む。
【００６５】
一方、ページナンバーとして１から２ｎ（ｎは正の整数）をポストメッセージに有するページをすべて受信しなかった場合には、ステップＳ５２において、各ページとともにポストメッセージ（ＰＰＳ−Ｑ信号など）により送信されたページナンバー（ＰＮ）順で、またファクシミリ情報に示される表裏の情報（ＳＩＤＥ）に基づき記録回路１６を用いて記録紙の表面および裏面の対応面に記録する。たとえば、ページナンバー４の裏面（２枚目の裏面）を受信していない場合には記録紙の２枚目は受信できた表面のみをプリントし、裏面は空白とする。
【００６６】
ステップＳ５４では、記録回路１６により、最終ページに「この記録情報には、抜けがあるかもしれません。相手先にご確認下さい」とプリントする。このメッセージの記録位置は最終ページに限らず、たとえばステップＳ５２において、受信しておらず空白としたページに同様のメッセージを記録出力するようにしてもよく、同様のメッセージを含む独立した適当なヘッダページを生成し、第１ページ目や欠けていたページの近傍の順位で出力したり、あるいは各ページのヘッダやフッタの位置で各ページ毎に記録することも考えられる。このようにして全てのページの画像を受信していない可能性がある旨を報知することができる。このようなメッセージはキャラクタジェネレータＲＯＭなどに記憶させておいたフォント情報を展開することにより記録紙に記録できる画情報に変換されるものとする。
【００６７】
ステップＳ５６では、バス２６を介して、操作部２０の表示部を制御し、「通信番号ＸＸＸは、両面伝送を実行したが、受信情報に抜けがあるかもしれません。相手先にご確認下さい」と表示し、ユーザに全てのページの画像を受信していない可能性がある旨を報知する。この表示は、何らかのキー操作に応じて消去するものとする。
【００６８】
以上のようにして、送信局が、空白ページの送信省略などのために、あるいはバグなどによりＩＴＵ−Ｔ勧告に準拠しないイレギュラーな送信処理を行ない、不連続なページ番号（ＰＮ）を付して画像を送信した場合でも、課金を無駄にすることなく受信を最後まで実行し、ポストメッセージ信号のページ番号（ＰＮ）および表裏（ＳＩＤＥ）の情報に基づき妥当な両面記録出力を行なうことができる。また、不連続なページ番号（ＰＮ）により画像が送信された場合は、不完全な受信である可能性がある旨を記録メッセージ、あるいは表示メッセージによりユーザに確実に報知することができる。
【００６９】
また、表裏各面の画像情報とともに受信したページ番号情報が不連続であるが伝送処理を停止せず表裏各面の画像情報とともに受信したページ番号情報に基づき受信した表裏各面の画像情報を記録出力する場合、全てのページ情報を受信出来ていない可能性がある旨を記録、あるいは表示などの出力方法によりユーザに報知するようにしているので、ユーザは非標準的な伝送が行なわれ、全てのページ情報が揃っていない可能性があることを確実に認識でき、送信側に問い合わせるなどの適切な措置を講じることができる。
【００７０】
なお、本実施形態においては、両面情報のいずれのページ情報の受信が出来ていなくても、特に両面情報の途中のページ情報の受信が出来ていなくても受信したページ情報は可能な限り全てプリントアウトするものとするが、特定のページ、たとえば先頭のページを受信できていない場合などにおいては、受信したページ情報を無条件で全てプリントアウトするのを止め、通信をエラー終了させたり、後述の第２実施形態のようにプリントアウト前にユーザの入力指示を待つようにしてもよい。
【００７１】
［第２の実施形態］
第１の実施形態においては、説明を簡単にするために、ステップＳ６の通信制御登録メモリ１８ａへの登録処理においてユーザが両面受信において全てのページ情報の受信が完成していなくてもプリントアウトを完遂する旨の登録を行なったものとし、その場合の処理のみを示した。
【００７２】
しかし、この通信制御登録メモリ１８ａへの登録状態に応じて行なう処理としては以下のような例が考えられる。
【００７３】
たとえば、両面受信において、すべてのページ情報の受信が完成していなくてもプリントアウトを行なう旨の制御情報を通信制御登録メモリ１８ａに登録することが考えられる。
【００７４】
そして、このような登録が行なわれている状態で、全ての両面情報の受信が完成していない場合はその旨を表示してユーザの指示入力を求め、肯定応答を得た場合はプリントアウトを行ない、それ以外はプリントアウトを行なわないようにする。もちろん、全てのページ情報を受信できた場合は受信画像を両面情報としてプリントアウトする。
【００７５】
図１０は、上記のような制御を行なうために図６〜９の制御に対して必要な変更部分を示している。
【００７６】
図１０において、ステップＳ６０は、図８のステップＳ４８のＮｏに相当する。すなわち、両面受信を行なったが、全てのページを受信していない場合には、ステップＳ６２以降の処理を行なう。
【００７７】
ステップＳ６２では、バス２６を介して通信制御登録メモリ１８ａの情報を入力し、両面情報の受信が揃っていなくてもプリントを行なう旨が登録されているか否かを判断し、両面情報の受信が揃っていなくてもプリントを行なう旨が登録されていればステップＳ７０に進み、図８のステップＳ５２と同一の制御、すなわち、前述の第１実施形態の処理を行ない、一方、両面情報の受信が揃っていなくてもプリントを行なう旨が登録されていなければ、ステップＳ６６に進む。
【００７８】
ステップＳ６６では、バス２６を介して、操作部２０の表示部を制御し、「両面受信がありましたが全ての受信情報を受信していません。プリントしてよいですか？」と表示する。この表示は何らかのキー操作に応じて消去する。
【００７９】
ステップＳ６８では、バス２６を介して操作部２０の情報を入力し、オペレータの肯定応答があるか否かを判断し、オペレータの肯定応答があればステップＳ７０に進み、図８のステップＳ５２と同一の制御を実行する。その後、ステップＳ７２（ステップＳ８）に復帰する。
【００８０】
ステップＳ７４はステップＳ１２に相当し、ここで通信制御登録メモリ１８ａの登録処理を行なうことを示している。ステップＳ７６では、バス２６を介して操作部２０の操作情報を入力し、両面受信に関する通信制御の登録が選択されたか否かを判断し、登録が選択されていればステップＳ７８に進み、登録が選択されていなければステップＳ８０（ステップＳ８）に進む。
【００８１】
ステップＳ７８では、バス２６を介して操作部２０の操作情報を入力し、操作情報に応じて通信制御登録メモリ１８ａに両面受信において全てのページ情報の受信が完成していなくてもプリントするか否かを登録する。
【００８２】
このようにして、全てのページ情報の受信が完成していない場合にはその旨を表示してユーザの入力を求め、肯定応答を得た場合はプリントアウトを行ない、それ以外はプリントアウトを行なわないように制御することができ、ユーザは状況に応じて第１実施形態よりも豊富な動作を選択することができる。
【００８３】
すなわち、本実施形態は、表裏各面の画像情報とともに受信したページ番号情報が不連続な場合であっても表裏各面の画像情報とともに受信したページ番号情報に基づき受信した表裏各面の画像情報を記録する記録出力処理を行なう場合、当該記録出力処理を行なうに先立って、ユーザの指示入力を受け付け、肯定応答を得た場合のみ当該記録出力処理を行なう構成であり、このような構成により、記録出力に先立ってユーザは全てのページ情報が揃っていない可能性があることを確実に認識した上でその両面画情報をプリントアウトするか否かを決定することができる。
【００８４】
以上、２つの実施形態を示したが、通信制御登録メモリ１８ａに表裏各面の画像情報とともに受信したページ番号情報が不連続な場合の記録出力処理の態様を制御する通信制御情報を登録し、この通信制御情報に基づき表裏各面の画像情報とともに受信したページ番号情報が不連続な場合の通信および記録処理を制御する構成によれば、ユーザは、装置の使用状況などに応じて表裏各面の画像情報とともに受信したページ番号情報が不連続な場合の記録出力処理の態様を登録することにより、適切な動作モードを選択することができる、という優れた効果がある。
【００８５】
なお、第２実施形態において、通信制御登録メモリ１８ａに明示的な登録情報が無い場合は、第１実施形態と同様に全てのページ情報が揃っていなくてもプリントアウトを行なうか、画像伝送中などの所定のタイミングで全てのページ情報が揃っていない状態が判明した場合に通信をエラー終了するようにしてもよい。
【００８６】
以上では、ファクシミリ専用機の構成を示したが、本発明はファクシミリ専用機のみならず、他の形態のファクシミリ装置に実施できるのはいうまでもない。たとえば、本発明は、パーソナルコンピュータのような汎用の端末にＦＡＸモデムなどを外付け／内蔵し、ソフトウェア制御によりファクシミリ通信を行なう構成においても実施することができる。その場合、本発明の制御プログラムは、前述のＲＯＭのみならず、ハードディスク、フロッピーディスク、光ディスク、光磁気ディスクやメモリカードなどのあらゆるコンピュータ読み取り可能な記録媒体に格納して供給することができる。
【００８７】
【発明の効果】
以上説明したように、本発明によれば、両面原稿の画像を受信する両面伝送モードを有するファクシミリ装置、その制御方法、その制御プログラムを格納したコンピュータ読取可能な記録媒体において、表裏各面の画像情報とともにポストメッセージ信号により１ページごとに受信した、本来画像情報の表裏１面ごとに歩進し、１から２ｎ（ｎは正の整数）までカウントアップされるべきページ番号情報が不連続でありかつ欠落があり、両面画像情報の内、途中のページ情報の受信が出来ていない場合でも伝送処理を停止せず、表裏各面の画像情報とともに受信した前記ページ番号情報に基づき該ページ番号情報の値が示す順序で受信した表裏各面の画像情報を記録出力し、その場合、前記欠落したページ番号情報に対応し受信が出来ていない途中のページ情報については空白を記録出力するようにしているので、送信側がＩＴＵ−Ｔの勧告を一部変更して不連続なページ番号（ＰＮ）を有する画像情報を送信し、これにより論理的には全てのページ情報が揃っていないような画像情報を受信した場合でも、課金を無駄にすることなく両面画像受信およびプリントアウトを行なうことができる、という優れた効果がある。
【００８８】
また、表裏各面の画像情報とともに受信したページ番号情報が不連続であるが伝送処理を停止せず表裏各面の画像情報とともに受信したページ番号情報に基づき受信した表裏各面の画像情報を記録出力する場合、全てのページ情報を受信出来ていない可能性がある旨をユーザに報知する構成によれば、ユーザは非標準的な伝送が行なわれ、全てのページ情報が揃っていない可能性があることを確実に認識でき、送信側に問い合わせるなどの適切な措置を講じることができる。
【００８９】
また、表裏各面の画像情報とともに受信したページ番号情報が不連続な場合であっても表裏各面の画像情報とともに受信したページ番号情報に基づき受信した表裏各面の画像情報を記録する記録出力処理を行なう場合、当該記録出力処理を行なうに先立って、ユーザの指示入力を受け付け、肯定応答を得た場合のみ当該記録出力処理を行なう構成によれば、記録出力に先立ってユーザは全てのページ情報が揃っていない可能性があることを確実に認識した上でその両面画情報をプリントアウトするか否かを決定することができる。
【００９０】
あるいはさらに、表裏各面の画像情報とともに受信したページ番号情報が不連続な場合の記録出力処理の態様を制御する通信制御情報を登録する構成を採用すれば、ユーザは、装置の使用状況などに応じて表裏各面の画像情報とともに受信したページ番号情報が不連続な場合の記録出力処理の態様を登録することにより、適切な動作モードを選択することができる。
【図面の簡単な説明】
【図１】本発明を採用したファクシミリ装置のハードウェア構成を示したブロック図である。
【図２】ＥＣＭ通信モードにおける交互モードでの両面伝送の様子を示した説明図である。
【図３】ＥＣＭ通信モードにおける連続モードでの両面伝送の様子を示した説明図である。
【図４】両面伝送で用いられるＤＩＳ／ＤＴＣおよびＤＣＳ信号のＦＩＦを示した表図である。
【図５】両面伝送で用いられるポストメッセージ信号のフォーマットを示した説明図である。
【図６】図１のＣＰＵ２２の通信制御を示したフローチャート図である。
【図７】図１のＣＰＵ２２の通信制御を示したフローチャート図である。
【図８】図１のＣＰＵ２２の通信制御を示したフローチャート図である。
【図９】図１のＣＰＵ２２の通信制御を示したフローチャート図である。
【図１０】図１のＣＰＵ２２の通信制御を示したフローチャート図である。
【符号の説明】
２  ＮＣＵ
４  電話機
６  ハイブリッド回路
８  変復調器
１０  発呼回路
１２  加算回路
１４  読取回路
１６  記録回路
１８  メモリ
２０  操作部
２２  ＣＰＵ
２４  ＲＯＭ
２６  バス
【図１】
0003706794.tif 000002
【図２】
0003706794.tif 000003
【図３】
0003706794.tif 000004
【図４】
0003706794.tif 000005
【図５】
0003706794.tif 000006
【図６】
0003706794.tif 000007
【図７】
0003706794.tif 000008
【図８】
0003706794.tif 000009
【図９】
0003706794.tif 000010
【図１０】
0003706794.tif 000011